(57)【要約】【課題】各ユーザは所望する制御情報の表示内容を簡易な方法により切り替えて確認できると共に、その表示内容を各ユーザに対応して容易に設定変更することが可能な画像形成装置を提供する。【解決手段】パネル部４９のダウンキー６２とセットキー６３とを同時に押下することにより、液晶表示部５０に「ＤＩＳＰＬＡＹ　ＳＥＬＥＣＴＩＯＮ」と表示され（Ｓ１〜Ｓ２）、セットキー６３が押下された場合には（Ｓ２：ＹＥＳ）、表示選択処理が実行され、パスワードを有するユーザに限り、このパスワードに対応する印刷条件などの表示制御情報を液晶表示部５０に表示するように設定することができる（Ｓ３）。また、所定時間内にセットキー６３が押下されなかった場合には（Ｓ２：ＮＯ）、液晶表示部５０に「ＤＩＳＰＬＡＹ　ＳＥＴＴＩＮＧ」と表示された後、表示制御情報を登録する処理が実行される（Ｓ４：ＹＥＳ〜Ｓ２６）。【選択図】　図４
2004074423.tif 000002
【特許請求の範囲】
【請求項１】
各種の情報を表示する表示手段と、キー入力手段と、画像形成装置における設定変更可能な設定項目と、その設定項目の設定状態とを含む制御情報に対し、前記キー入力手段によるキー入力に応じて、その表示内容に関する指定を行い、表示制御情報を生成する表示指定手段と、前記キー入力手段によるキー入力に応じて前記表示制御情報に基づく表示を前記表示手段に実行させる表示制御手段と、を備えた画像形成装置において、
前記表示指定手段により生成された前記表示制御情報を複数パターン登録するための登録手段と、
前記登録手段により登録された複数パターンの前記表示制御情報を記憶する記憶手段と、を備えたことを特徴とする画像形成装置。
【請求項２】
前記表示指定手段による表示内容の指定は、前記制御情報に対し、表示すべき設定項目、及び設定項目の表示順序の指定を含むことを特徴とする請求項１に記載の画像形成装置。
【請求項３】
前記制御情報に含まれる全ての設定項目や設定項目の設定状態を表示するための初期状態の表示制御情報を備えたことを特徴とする請求項１若しくは請求項２に記載の画像形成装置。
【請求項４】
前記初期状態の表示制御情報、もしくは前記記憶手段に記憶されている表示制御情報の前記表示制御手段による表示を可能とすると共に、さらに前記表示指定手段による表示内容に関する指定、及び登録手段による登録を実行可能とする第１モードと、前記初期状態の表示制御情報、もしくは前記記憶手段に記憶されている表示制御情報の前記表示制御手段による表示のみを可能とする第２モードとを切り替え可能に備えたことを特徴とする請求項１乃至請求項３のいずれかに記載の画像形成装置。
【請求項５】
前記記憶手段に記憶されている各表示制御情報に対応付けてパスワードを設定するパスワード設定手段と、
前記第１モードにおいて、前記記憶手段に記憶されている表示制御情報の中から所望の表示制御情報を選択する選択手段と、
前記選択手段により前記表示制御情報が選択された場合、前記キー入力手段を介して入力されたパスワードが、前記パスワード設定手段によりその表示制御情報に対して設定されたパスワードと一致するか否かを判断する判断手段と、を備え、
その判断手段によりパスワードが一致すると判断された場合、前記表示制御手段は、選択された表示制御情報の表示を行うように制御することを特徴とする請求項４に記載の画像形成装置。
【請求項６】
前記第１モードにおいて、前記制御情報に対し、新たに前記表示指定手段により表示内容に関する指定を行う場合、予め設定されている指定用パスワードの入力を指示する第１指示手段を備え、
前記判断手段は、その第１指示手段の指示に基づいて入力されたパスワードが前記指定用パスワードと一致するか否かを判断し、
その判断手段によりパスワードが一致すると判断された場合、前記表示指定手段は、前記制御情報に対し、その表示内容に関する指定を実行可能にすることを特徴とする請求項４または請求項５に記載の画像形成装置。
【請求項７】
前記表示指定手段は、前記記憶手段に記憶されている表示制御情報に対してさらに編集を行うことが可能な編集手段を有し、
前記登録手段は、前記編集手段により編集された表示制御情報を元の表示制御情報に対して上書きして登録することを特徴とする請求項１乃至請求項６のいずれかに記載の画像形成装置。
【請求項８】
前記編集手段による編集前の表示制御情報に対して、前記パスワード設定手段により設定されたパスワードの入力を指示する第２指示手段を備え、
前記判断手段は、前記第２指示手段による指示に基づいて入力されたパスワードが、前記編集前の表示制御情報に対応するパスワードと一致するか否かを判断し、
前記登録手段は、その判断によりパスワードが一致すると判断された場合、表示制御情報の上書き登録を実行することを特徴とする請求項７に記載の画像形成装置。
【請求項９】
前記記憶手段に記憶されている複数の表示制御情報の中から、前記第２モードで表示可能な表示制御情報の設定を行う設定手段を備えたことを特徴とする請求項４乃至請求項８のいずれかに記載の画像形成装置。
【請求項１０】
前記設定手段の実行を許可するパスワードを備えたことを特徴とする請求項９に記載の画像形成装置。
【請求項１１】
前記表示指定手段、及び前記編集手段による指定あるいは編集後の前記表示制御情報の一覧を印字出力する表示制御情報出力手段を備えていることを特徴とする請求項１乃至請求項１０のいずれかに記載の画像形成装置。
【請求項１２】
前記記憶手段に記憶されている表示制御情報の使用状況を管理する管理手段と、
その管理手段の管理結果に基づいて、所定期間に渡って使用されていない表示制御情報があるか否かを検出する検出手段と、
その検出手段によって、使用されていない表示制御情報が検出された場合、その表示制御情報を前記記憶手段から消去する消去手段と、を備えたことを特徴とする請求項１乃至請求項１１のいずれかに記載の画像形成装置。
【請求項１３】
前記表示制御手段により前記表示制御情報に含まれる設定項目を前記表示手段に表示させた状態で、前記キー入力手段による所定の操作が行われた否かを検知する検知手段を備え、
前記検知手段により所定の操作が行われたことが検知された場合、前記編集手段は、その設定項目を表示制御情報から削除するように制御することを特徴とする請求項７乃至請求項１２のいずれかに記載の画像形成装置。
【発明の詳細な説明】
【０００１】
【発明の属する技術分野】
本発明は、画像形成装置に関し、特に、印刷条件などの制御情報の表示内容を複数パターン登録可能とし、各ユーザは所望する制御情報の表示内容を簡易な方法により切り替えて確認できると共に、その表示内容を各ユーザに対応して容易に設定変更することが可能な画像形成装置に関するものである。
【０００２】
【従来の技術】
従来より、レーザプリンタ等の画像形成装置においては、印刷条件などの設定項目の変更をユーザが容易に行うことが可能な画像形成装置に関し種々提案されている。
例えば、特開２００１−１８００８９号公報に記載された印刷装置では、表示制御手段により、印刷装置における諸機能または印刷条件等の設定項目及び設定値を含む制御情報が、表示手段に表示される。また、この設定項目の選択及び設定値の変更はキー入力手段によるキー入力に応じて行われる。そして、前記制御情報の表示内容は、前記キー入力手段によるキー入力に応じて表示編集手段により編集可能になっている。従って、ユーザは必要に応じて表示の順序を変更したり、必要なもののみを表示させたり等の適宜の編集処理を行うことができ、作業効率の向上が図られる。
【０００３】
【発明が解決しようとする課題】
しかしながら、上述した特開２００１−１８００８９号公報に記載された印刷装置においては、この印刷装置を複数人が共有する場合には、一人のユーザが表示手段に表示される制御情報の表示内容を編集した後、他のユーザにとって必要な項目がなかったり、逆に必要でない項目があったりする。また、各ユーザが印刷装置を使う度に毎回設定をし直す必要があり、不便であるという問題がある。
【０００４】
そこで、本発明は、上述した問題点を解決するためになされたものであり、印刷条件などの制御情報の表示内容を複数パターン登録可能とし、各ユーザは所望する制御情報の表示内容を簡易な方法により切り替えて確認できると共に、その表示内容を各ユーザに対応して容易に設定変更することが可能な画像形成装置を提供することを目的とする。
【０００５】
【課題を解決するための手段】
前記目的を達成するため請求項１に係る画像形成装置は、各種の情報を表示する表示手段と、キー入力手段と、画像形成装置における設定変更可能な設定項目と、その設定項目の設定状態とを含む制御情報に対し、前記キー入力手段によるキー入力に応じて、その表示内容に関する指定を行い、表示制御情報を生成する表示指定手段と、前記キー入力手段によるキー入力に応じて前記表示制御情報に基づく表示を前記表示手段に実行させる表示制御手段と、を備えた画像形成装置において、前記表示指定手段により生成された前記表示制御情報を複数パターン登録するための登録手段と、前記登録手段により登録された複数パターンの前記表示制御情報を記憶する記憶手段と、を備えたことを特徴とする。
【０００６】
このような特徴を有する請求項１に係る画像形成装置によれば、表示制御情報を複数パターン登録することが可能であり、ユーザは、登録されている複数パターンの表示制御情報から、希望するパターンの表示制御情報をキー入力手段を介して指定することによって、画像形成装置における設定変更可能な設定項目と、その設定項目の設定状態とを含む制御情報の表示を希望する表示内容のパターンで表示することができる。このため、複数人のユーザが当該画像形成装置を共同で使用する場合に、登録されている複数の表示制御情報を簡易な方法で切り替えて使用することで、各ユーザは、画像形成装置の制御情報を希望する表示内容で表示して使用することが可能となる。
【０００７】
また、請求項２に係る画像形成装置は、請求項１に記載の画像形成装置において、前記表示指定手段による表示内容の指定は、前記制御情報に対し、表示すべき設定項目、及び設定項目の表示順序の指定を含むことを特徴とする。
【０００８】
このような特徴を有する請求項２に係る画像形成装置によれば、表示制御情報を生成する場合に、表示すべき設定項目、及び設定項目の表示順序の指定を表示指定手段によって指定することができるため、各表示制御情報に基づいて表示される装置の設定項目、及びその表示順序を希望順序に設定することが可能となり、各ユーザは画像形成装置の設定状態の確認や設定値の変更をより容易に且つ迅速に行うことが可能となる。
【０００９】
また、請求項３に係る画像形成装置は、請求項２に記載の画像形成装置において、前記制御情報に含まれる全ての設定項目や設定項目の設定状態を表示するための初期状態の表示制御情報を備えたことを特徴とする。
【００１０】
このような特徴を有する請求項３に係る画像形成装置によれば、初期状態の表示制御情報を備えることにより、全ての設定項目を表示したい場合には、それを選択することで全ての設定項目を表示させることができ、表示制御情報の選択肢を広げることができる。また、表示指定手段により表示制御情報を新たに生成する場合にも、初期状態の表示制御情報を適宜修正することにより生成することができる。
【００１１】
また、請求項４に係る画像形成装置は、請求項１乃至請求項３のいずれかに記載の画像形成装置において、前記初期状態の表示制御情報、もしくは前記記憶手段に記憶されている表示制御情報の前記表示制御手段による表示を可能とすると共に、さらに前記表示指定手段による表示内容に関する指定、及び登録手段による登録を実行可能とする第１モードと、前記初期状態の表示制御情報、もしくは前記記憶手段に記憶されている表示制御情報の前記表示制御手段による表示のみを可能とする第２モードとを切り替え可能に備えたことを特徴とする。
【００１２】
このような特徴を有する請求項４に係る画像形成装置によれば、本装置を使用するユーザにより、第１モードと第２モードとを切り替えて使用することにより、ユーザの使用環境にあった機能設定が可能となる。そして、第１モードでは、希望の表示制御情報を登録することが可能であり、それを選択して表示することができることから、自身で表示制御情報の登録操作を可能なユーザにとっては第１モードが使用しやすく、逆に、自身で表示制御情報の登録操作ができないようなユーザにとっては、予め固定的に表示制御情報が登録されていて、その中から所望の表示制御情報を選択する第２モードが使用しやすい。また、第２モードでは、登録されている表示制御情報の表示内容が他のユーザにより勝手に変更され、使用できなくなることを防止できる。
【００１３】
また、請求項５に係る画像形成装置は、請求項４に記載の画像形成装置において、前記記憶手段に記憶されている各表示制御情報に対応付けてパスワードを設定するパスワード設定手段と、前記第１モードにおいて、前記記憶手段に記憶されている表示制御情報の中から所望の表示制御情報を選択する選択手段と、前記選択手段により前記表示制御情報が選択された場合、前記キー入力手段を介して入力されたパスワードが、前記パスワード設定手段によりその表示制御情報に対して設定されたパスワードと一致するか否かを判断する判断手段と、を備え、その判断手段によりパスワードが一致すると判断された場合、前記表示制御手段は、選択された表示制御情報の表示を行うように制御することを特徴とする。
【００１４】
このような特徴を有する請求項５に係る画像形成装置では、第１モードにおいては、複数パターンの表示制御情報から所望の表示制御情報を選択すると共に、キー入力手段を介して入力されたパスワードが、この選択された表示制御情報に予め付されたパスワードと一致した場合に、当該表示制御情報が表示されて、設定項目を確認したり、設定値の変更が可能になるため、パスワードを知っているユーザに限りそのパスワードに対応する表示制御情報の表示が可能となり、複数パターンの表示制御情報の管理を容易に行うことができる。
【００１５】
また、請求項６に係る画像形成装置は、請求項４または請求項５に記載の画像形成装置において、前記第１モードにおいて、前記制御情報に対し、新たに前記表示指定手段により表示内容に関する指定を行う場合、予め設定されている指定用パスワードの入力を指示する第１指示手段を備え、前記判断手段は、その第１指示手段の指示に基づいて入力されたパスワードが前記指定用パスワードと一致するか否かを判断し、その判断手段によりパスワードが一致すると判断された場合、前記表示指定手段は、前記制御情報に対し、その表示内容に関する指定を実行可能にすることを特徴とする。
【００１６】
このような特徴を有する請求項６に係る画像形成装置では、第１モードにおいては、表示制御情報の表示内容に関する指定を行う場合には、指定用パスワードの入力指示がされ、この指示に基づいて入力したパスワードが、予め設定されている指定用パスワードと一致した場合に限り、表示制御情報の表示内容に関する指定を行うことが可能となるため、所定ユーザに当該指定用パスワードを付与することによって、所定ユーザに限り表示制御情報の登録を許可することができ、複数パターンの表示制御情報の管理を更に容易に行うことができる。
【００１７】
また、請求項７に係る画像形成装置は、請求項１乃至請求項６のいずれかに記載の画像形成装置において、前記表示指定手段は、前記記憶手段に記憶されている表示制御情報に対してさらに編集を行うことが可能な編集手段を有し、前記登録手段は、前記編集手段により編集された表示制御情報を元の表示制御情報に対して上書きして登録することを特徴とする。
【００１８】
このような特徴を有する請求項７に係る画像形成装置によれば、すでに登録されている複数パターンの表示制御情報に対して個々に編集を行うことができると共に、この編集した表示制御情報は元の表示制御情報に対して上書きして登録されるため、ユーザは登録した表示制御情報から削除したい設定項目が出てきた場合、その部分だけを編集すればよいため、最初から設定を行う必要がなく、また、表示制御情報を記憶するメモリ量の小型化を図ることができる。
【００１９】
また、請求項８に係る画像形成装置は、請求項７に記載の画像形成装置において、前記編集手段による編集前の表示制御情報に対して、前記パスワード設定手段により設定されたパスワードの入力を指示する第２指示手段を備え、前記判断手段は、前記第２指示手段による指示に基づいて入力されたパスワードが、前記編集前の表示制御情報に対応するパスワードと一致するか否かを判断し、前記登録手段は、その判断によりパスワードが一致すると判断された場合、表示制御情報の上書き登録を実行することを特徴とする。
【００２０】
このような特徴を有する請求項８に係る画像形成装置によれば、編集した表示制御情報を元の表示制御情報に対して上書きして登録する場合に、第２指示手段によってパスワードを入力するように指示され、この指示に基づいて入力したパスワードが編集前の表示制御情報に対応するパスワードと一致したときに限り上書き登録されるため、表示制御情報の表示内容の変更を更に厳重に管理することができる。また、パスワードと一致したときに限り、編集した表示制御情報を元の表示制御情報に対して上書きして登録するため、表示制御情報を記憶するメモリ量の小型化を図ることができる。
【００２１】
また、請求項９に係る画像形成装置は、請求項４乃至請求項８のいずれかに記載の画像形成装置において、前記記憶手段に記憶されている複数の表示制御情報の中から、前記第２モードで表示可能な表示制御情報の設定を行う設定手段を備えたことを特徴とする。
【００２２】
このような特徴を有する請求項９に係る画像形成装置によれば、複数の表示制御情報の中から、第２モードで表示する表示制御情報を設定できるため、その設定手段により設定された範囲の表示制御情報をユーザは自由に選択して表示させることができる。
【００２３】
また、請求項１０に係る画像形成装置は、請求項９に記載の画像形成装置において、前記設定手段の実行を許可するパスワードを備えたことを特徴とする。
【００２４】
このような特徴を有する請求項１０に係る画像形成装置によれば、第２モードにおいて、表示可能とする表示制御情報を設定する場合には、パスワードを入力する必要があるため、当該パスワードを有するユーザに限り、表示制御情報の設定、設定の変更が可能となり、第２モードで表示可能な表示制御情報の種類が勝手に変更されるのを防止することができる。
【００２５】
また、請求項１１に係る画像形成装置は、請求項１乃至請求項１０のいずれかに記載の画像形成装置において、前記表示指定手段、及び前記編集手段による指定あるいは編集後の前記表示制御情報の一覧を印字出力する表示制御情報出力手段を備えていることを特徴とする。
【００２６】
このような特徴を有する請求項１１に係る画像形成装置によれば、表示指定手段、及び編集手段による指定あるいは編集後の表示制御情報の一覧を印字出力することができるため、ユーザは自身の指定あるいは編集した表示制御情報の内容を印字出力して、容易に確認することができる。
【００２７】
また、請求項１２に係る画像形成装置は、請求項１乃至請求項１１のいずれかに記載の画像形成装置において、前記記憶手段に記憶されている表示制御情報の使用状況を管理する管理手段と、その管理手段の管理結果に基づいて、所定期間に渡って使用されていない表示制御情報があるか否かを検出する検出手段と、その検出手段によって、使用されていない表示制御情報が検出された場合、その表示制御情報を前記記憶手段から消去する消去手段と、を備えたことを特徴とする。
【００２８】
このような特徴を有する請求項１２に係る画像形成装置によれば、表示制御情報の使用状況が管理されると共に、この管理結果に基づいて、所定期間に渡って使用されていない表示制御情報が検出された場合は、この使用されていない表示制御情報が消去されるため、不必要な表示制御情報を自動的に削除することが可能となり、メモリを効率的に使用することができる。
【００２９】
また、請求項１３に係る画像形成装置は、請求項７乃至請求項１２のいずれかに記載の画像形成装置において、前記表示制御手段により前記表示制御情報に含まれる設定項目を前記表示手段に表示させた状態で、前記キー入力手段による所定の操作が行われた否かを検知する検知手段を備え、前記検知手段により所定の操作が行われたことが検知された場合、前記編集手段は、その設定項目を表示制御情報から削除するように制御することを特徴とする。
【００３０】
このような特徴を有する請求項１３に係る画像形成装置によれば、表示制御情報が表示された状態で、キー入力手段による所定の操作が行われた場合には、その表示されている設定項目が表示制御情報から削除されるため、ユーザは、表示制御情報の不必要な設定項目を容易に削除することができ、希望する設定項目のみを表示するように容易にカスタマイズすることができる。
【００３１】
【発明の実施の形態】
以下、本発明に係る画像形成装置について、本発明をレーザプリンタにつき具体化した一実施形態に基づいて図面を参照しつつ詳細に説明する。
先ず、本実施形態に係るレーザプリンタの概略構成について図１乃至図３に基づき説明する。
【００３２】
図１に示すように、本実施形態に係るレーザプリンタ１は、本体ケーシング２内に、用紙３を給紙するためのフイーダ部４や、給紙された被記録媒体としての用紙３に所定の画像を形成するための画像形成部５などを備えている。
【００３３】
フイーダ部４は、本体ケーシング２内の底部に、着脱可能に装着される給紙トレイ６と、給紙トレイ６内に設けられた用紙押圧板７と、給紙トレイ６の一端部の上方に設けられる給紙ローラ８および給紙パット９と、給紙ローラ８に対し用紙３の搬送方向の下流側（以下、用紙３の搬送方向上流側または下流側を、単に、上流側または下流側という場合がある。）に設けられる搬送ローラ１０および１１と、搬送ローラ１０および１１に対し用紙３の搬送方向の下流側に設けられるレジストローラ１２とを備えている。
【００３４】
用紙押圧板７上の最上位にある用紙３は、用紙押圧板７の裏側から図示しないばねによって給紙ローラ８に向かって押圧され、その給紙ローラ８の回転によって給紙ローラ８と給紙パット９とで挟まれた後、１枚毎に給紙される。給紙された用紙３は、搬送ローラ１０および１１によってレジストローラ１２に送られる。レジストローラ１２は、１対のローラから構成されており、用紙３を所定のレジスト後に、画像形成部５に送るようにしている。
【００３５】
なお、このフイーダ部４は、さらに、マルチパーパストレイ１４と、マルチパーパストレイ１４上に積層される用紙３を給紙するためのマルチパーパス側給紙ローラ１５およびマルチパーパス側給紙パット１５ａとを備えており、マルチパーパストレイ１４上に積層される用紙３は、マルチパーパス側給紙ローラ１５の回転によってマルチパーパス側給紙ローラ１５とマルチパーパス側給紙パット１５ａとで挟まれた後、１枚毎に給紙される。
【００３６】
画像形成部５は、トナー画像形成手段としてのスキャナユニット１６、プロセスカートリッジ１７、転写ローラ２４および熱定着装置１８などを備えている。スキャナユニット１６は、本体ケーシング２内の上部に設けられ、レーザ発光部（図示せず。）、回転駆動されるポリゴンミラー１９、レンズ２０および２１、反射鏡２２などを備えている。
【００３７】
プロセスカートリッジ１７は、スキャナユニット１６の下方に配設され、本体ケーシング２に対して着脱自在に装着されるように構成されている。このプロセスカートリッジ１７は、感光ドラム２３を備えるとともに、図示しない、スコロトロン型帯電器、現像ローラ、トナー収容部などを備えている。
【００３８】
トナー収容部には、現像剤として、正帯電性の非磁性１成分の重合トナーが充填されており、そのトナーが、現像ローラに一定厚さの薄層として担持される。一方、感光ドラム２３は、現像ローラと対向状に回転可能に配設されており、ドラム本体が接地されるとともに、その表面がポリカーボネートなどから構成される正帯電性の感光層により形成されている。
【００３９】
そして、感光ドラム２３の表面は、感光ドラム２３の回転に伴なって、スコロトロン型帯電器により一様に正帯電された後、スキャナユニット１６からのレーザービームの高速走査により露光され、所定の画像データに基づく静電潜像が形成され、その後、現像ローラと対向した時に、現像ローラ上に担持されかつ正帯電されているトナーが、その感光ドラム２３の表面に形成される静電潜像、すなわち、一様に正帯電されている感光ドラム２３の表面のうち、レーザービームによって露光され電位が下がっている部分に供給され、選択的に担持されることによって可視像化され、これによって反転現像が達成される。
【００４０】
転写ローラ２４は、感光ドラム２３の下方において、本体ケーシング２側において回転可能に支持された状態で、感光ドラム２３と対向するように配置されている。この転写ローラ２４は、金属製のローラ軸に、導電性のゴム材料からなるローラが被覆されており、感光ドラム２３に対して所定の転写バイアスが印加されている。そのため、感光ドラム２３上に担持されたトナーからなる可視像は、用紙３が感光ドラム２３と転写ローラ２４との間を通る間に用紙３に転写される。可視像が転写された用紙３は、搬送ベルト２５を介して、熱定着装置１８に搬送される。
【００４１】
熱定着装置１８は、プロセスカートリッジ１７の側方下流側に配設され、ローラとしての加熱ローラ２６と、加熱ローラ２６と用紙３を挟んで互いに対向配置されてフッ素樹脂等の絶縁性樹脂で外周部を覆われて接地されていない加圧ローラ２７と、加圧ローラ２７に対向配置されて該加圧ローラ２７方向に付勢されて回転可能に支持される清掃ローラ２７Ａとを備えている。
熱定着装置１８において定着された用紙３は、その後、熱定着装置１８の下流側に設けられる搬送ローラ２８および２９によって、排紙ローラ３０に搬送され、排紙ローラ３０に送られた用紙３は、その排紙ローラ３０によって排紙トレイ３１上に排紙される。
【００４２】
次に、このレーザプリンタ１の制御部４０の構成を図２に基づいて説明する。図２に示すように、制御部４０は、ＣＰＵ４１、ＲＯＭ４２、ＲＡＭ４３、出力インタフェース４４、入力インタフェース４５、記憶手段としての不揮発性メモリ４７、バス４８、パネル部４９、及びプリンタエンジン５３を備えている。ＣＰＵ４１は、後述するＲＯＭ４２に記憶された各種プログラムを実行することにより、プリンタエンジン５３（すなわち、フィーダ部４および画像形成部５）の動作や、出力インタフェース４４及び入力インタフェース４５の通信などのレーザプリンタ１における全体の動作を制御する。
ＲＯＭ４２は、後述する制御プログラム、液晶表示部５０に各種情報を表示させるための表示プログラム等の各種の制御プログラムを記憶する。
ＲＡＭ４３は、ＣＰＵ４１が各種の制御を実行するための数値やプログラムなどを一時的に記憶する手段であり、出力バッファ４３ａおよび入力バッファ４３ｂなどを備えている。
また、出力インタフェース４４及び入力インタフェース４５は、電話回線またはＬＡＮ等のネットワーク、あるいはパラレルインタフェースもしくはシリアルインタフェースによって接続を可能にするためのインタフェースであり、多数のパーソナルコンピュータと多対一の関係での使用が可能になっている。
【００４３】
不揮発性メモリ４７は、読み出し及び書き込み可能なメモリであって、かつ、レーザプリンタ１の電源のオフ時においても格納されたデータが保持されるタイプのメモリであって、たとえば、ＥＥＰＲＯＭまたはＮＶＲＡＭなどから構成される。そして、この不揮発性メモリ４７には、後述するように所定のユーザ１〜ユーザ３及び初期状態に対応する表示制御情報としての印刷条件などを表示するためのデータを記憶するＵＳＥＲ１記憶領域４７Ａ、ＵＳＥＲ２記憶領域４７Ｂ、ＵＳＥＲ３記憶領域４７Ｃ、及びＤＥＦＡＵＬＴ記憶領域４７Ｄ等が設けられている。
バス４８は、ＣＰＵ４１と出力インタフェース４４や入力インタフェース４５、ＲＯＭ４２、ＲＡＭ４３、不揮発性メモリ４７及びパネル部４９を相互に接続し、データや各種信号をやり取りするための回路である。
【００４４】
パネル部４９は、レーザプリンタ１の本体ケーシング２の前方上部に設けられており（図１に図示せず）、図３に示すように、表示手段としての液晶表示部５０とキー入力手段としての操作キー５１とを備えている。
液晶表示部５０は、ＬＣＤパネルから構成されており、表示プログラムや後述する制御プログラムによって、レーザプリンタ１の現在の設定状態等の各種情報が、ＣＰＵ４１によってＲＯＭ４２や不揮発性メモリ４７から読み込まれ表示される。
操作キー５１は、アップキー６１、ダウンキー６２、セットキー６３、バックキー６４、ゴーキー６５、及びリプリントキー６６を備えている。
また、操作パネル４９には、パワーランプ６８、データランプ６９、及びアラームランプ７０が設けられている。
【００４５】
ここで、液晶表示部５０は、表示手段として機能する。また、操作キー５１は、キー入力手段として機能する。また、液晶表示部５０及び操作キー５１は、表示指定手段を構成する。また、ＣＰＵ４１、ＲＯＭ４２、ＲＡＭ４３、及び不揮発性メモリ４７は、表示制御手段を構成する。また、ＣＰＵ４１及び不揮発性メモリ４７は、登録手段を構成する。また、不揮発性メモリ４７は、記憶手段として機能する。また、ＣＰＵ４１及び操作キー５１は、パスワード設定手段として機能する。また、液晶表示部５０及び操作キー５１は、選択手段を構成する。また、ＣＰＵ４１は、判断手段として機能する。また、ＣＰＵ４１及びパネル部４９は、第１指示手段を構成する。また、液晶表示部５０及び操作キー５１は、編集手段を構成する。また、ＣＰＵ４１及びパネル部４９は、第２指示手段を構成する。また、ＣＰＵ４１及びパネル部４９は、設定手段として機能する。ＣＰＵ４１、ＲＯＭ４２、ＲＡＭ４３、及びプリンタエンジン５３は、表示制御情報出力手段を構成する。また、ＣＰＵ４１、ＲＯＭ４２、及び不揮発性メモリ４７は、管理手段、検出手段、及び消去手段を構成する。また、ＣＰＵ４１及び操作キー５１は、検知手段を構成する。
【００４６】
次に、このように構成されたレーザプリンタ１の不揮発性メモリ４７のＵＳＥＲ１記憶領域４７Ａ、ＵＳＥＲ２記憶領域４７Ｂ、ＵＳＥＲ３記憶領域４７Ｃに記憶される各表示制御情報を登録する処理、及び登録されている表示制御情報を表示する処理について図４乃至図９に基づいて説明する。
【００４７】
図４及び図５に示すように、ステップ（以下、Ｓと略記する）１において、レーザプリンタ１のＣＰＵ４１は、パネル部４９のダウンキー６２とセットキー６３とが同時に押下されたことを検出する。すなわち、本処理を行う場合、レーザプリンタ１のユーザは、先ず、ダウンキー６２とセットキー６３とを同時に押下する。
また、ＣＰＵ４１は、ダウンキー６２とセットキー６３とが同時に押下された場合には、図７（Ａ）に示すように、液晶表示部５０に「ＤＩＳＰＬＡＹ　ＳＥＬＥＣＴＩＯＮ」と表示する。
【００４８】
そして、Ｓ２において、ＣＰＵ４１は、液晶表示部５０に「ＤＩＳＰＬＡＹ　ＳＥＬＥＣＴＩＯＮ」と表示している場合に、セットキー６３が押下されたか否かを判定する判定処理を実行する。そして、セットキー６３が押下された場合には（Ｓ２：ＹＥＳ）、Ｓ３において、ＣＰＵ４１は、表示選択処理を実行する。
【００４９】
ここで、表示選択処理について図６に基づいて説明する。
図６に示すように、Ｓ３１において、ＣＰＵ４１は、アップキー６１またはダウンキー６２が押下される毎に、不揮発性メモリ４７のＵＳＥＲ１記憶領域４７Ａ、ＵＳＥＲ２記憶領域４７Ｂ、ＵＳＥＲ３記憶領域４７Ｃ、ＤＥＦＡＵＬＴ記憶領域４７Ｄの各記憶領域に記憶されている表示制御情報を選択する旨を液晶表示部５０に順次表示する。
例えば、図７（Ｂ）に示すように、ＣＰＵ４１は、先ず、液晶表示部５０にＵＳＥＲ１記憶領域４７Ａに記憶されている表示制御情報を表す「ＤＩＳＰＬＡＹ＝ＵＳＥＲ１」を表示し、アップキー６１が押下されると、液晶表示部５０にＵＳＥＲ２記憶領域４７Ｂ「ＤＩＳＰＬＡＹ＝ＵＳＥＲ２」と表示し、また、アップキー６１が押下されると、液晶表示部５０にＵＳＥＲ３記憶領域４７Ｃに記憶されている表示制御情報を表す「ＤＩＳＰＬＡＹ＝ＵＳＥＲ３」と表示し、また、アップキー６１が押下されると、液晶表示部５０にＤＥＦＡＵＬＴ記憶領域４７Ｄに記憶されている初期状態の表示制御情報を表す「ＤＩＳＰＬＡＹ＝ＤＥＦＡＵＬＴ」と表示する。一方、ダウンキー６２が押下されると、ＣＰＵ４１は、上記と逆の順番に順次表示する。このように、初期状態の表示制御情報を含む登録されている全ての表示制御情報を選択可能に表示する。尚、初期状態については表示しないように設定されていても良い。
【００５０】
そして、Ｓ３１において、希望するＵＳＥＲ番号が表示された状態で、ＣＰＵ４１は、セットキー６３が押下されると（Ｓ３２）、液晶表示部５０の右端部に「＊」マーク（図７（Ｂ）参照）を表示すると共に、そのＵＳＥＲ番号に対応する記憶領域名を「液晶表示部５０に表示すべき印刷条件などの表示制御情報が記憶されている記憶領域名」としてＲＡＭ４３に一時的に記憶する。仮に、「ＵＳＥＲ１」が選択されたとする。
尚、Ｓ３１、Ｓ３２の処理が本発明の選択手段として機能する。
【００５１】
続いて、Ｓ３３において、この記憶領域にパスワードが予め付与されているか否かを判定する判定処理を実行する。そして、パスワードが予め付与されている場合には（Ｓ３３：ＹＥＳ）、Ｓ３４において、ＣＰＵ４１は、パスワードの入力要求を指示する。「ＵＳＥＲ１」には予めパスワードが付与されているとする。
例えば、図７（Ｃ）に示すように、液晶表示部５０に「ＰＡＳＳＷＯＲＤ＝００００」と表示して、４桁のパスワードの入力を指示する。
【００５２】
その後、Ｓ３５において、入力されたパスワードが、予め付与されている（不揮発性メモリ４７の各記憶領域４７Ａ、４７Ｂ、４７Ｃ、４７Ｄに対応して予めこの不揮発性メモリ４７に記憶されている）パスワードと一致するか否かを判定する判定処理を実行する。「ＵＳＥＲ１」の場合、ＵＳＥＲ１記憶領域４７Ａに対応して記憶されているパスワードとの比較を行う。このＳ３３の処理が本発明の判断手段として機能する。
そして、一致しない場合は（Ｓ３５：ＮＯ）、再度、Ｓ３２以降の処理を実行する。例えば、図７（Ｃ）に示すように、パスワードを入力後、アップキー６１とダウンキー６２とを同時に押下すると、このパスワードが一致しない場合は（Ｓ３５：ＮＯ）、液晶表示部５０に「ＩＮＶＡＬＩＤ　ＰＡＳＳＷＯＲＤ！」と表示され、再度、図７（Ｂ）の表示処理が実行される。
【００５３】
一方、パスワードが一致する場合には（Ｓ３５：ＹＥＳ）、Ｓ３６において、ＣＰＵ４１は、リスタートをするか否かを判定する判定処理を実行する。
例えば、図７（Ｃ）に示すように、「ＵＳＥＲ１」のパスワードとして「１３８４」と入力後、アップキー６１とダウンキー６２とを同時に押下すると、このパスワードがＵＳＥＲ１記憶領域４７Ａのパスワードと一致する場合は（Ｓ３５：ＹＥＳ）、ＣＰＵ４１は、液晶表示部５０の右端部に「＊」マークを表示する。続いて、Ｓ３６において、ＣＰＵ４１は、液晶表示部５０に「ＲＥＳＴＡＲＴ？」と表示し（図７（Ｄ）参照）、リスタートするか否かの指示命令の要求をする。
【００５４】
そして、Ｓ３６において、リスタートの指示がなかった場合は（Ｓ３６：ＮＯ）、すなわち、所定時間内にゴーキー６５が押下されなかった場合には、本処理を終了する。
他方、Ｓ３６において、リスタートの指示があった場合は（Ｓ３６：ＹＥＳ）、すなわち、所定時間内にゴーキー６５が押下された場合は、Ｓ３７において、リスタート後、Ｓ３２でＲＡＭ４３に一時的に記憶した記憶領域名に記憶されている表示制御情報を「液晶表示部５０に表示すべき印刷条件などの表示制御情報」として設定して、不揮発性メモリ４７に記憶すると共に、この表示制御情報を液晶表示部５０に表示させる表示処理を行う（Ｓ３８）。この表示処理については、従来から行われているものであり、表示制御情報に含まれている設定項目がキー操作により順次表示されることになる。例えば、Ｓ３２において、「ＵＳＥＲ１」が選択された場合、リスタートの指示があると、ＵＳＥＲ１として登録されている表示制御情報が液晶表示部５０に表示され、表示制御情報に含まれる設定項目の設定内容を確認したり、必要に応じて設定値を変更するといった操作を行うことができる。そして、所定の表示終了操作を行うことで、表示処理を終了し、メインフローチャートに戻る。
尚、起動時には、「液晶表示部５０に表示すべき印刷条件などの表示制御情報が記憶されている記憶領域名」としてＤＥＦＡＵＬＴ記憶領域４７Ｄが不揮発性メモリ４７に記憶されている。
【００５５】
一方、Ｓ２で所定時間内にセットキー６３が押下されなかった場合には（Ｓ２：ＮＯ）、ＣＰＵ４１は、Ｓ４以降の処理を実行する。先ず、Ｓ４において、ＣＰＵ４１は、液晶表示部５０に「ＤＩＳＰＬＡＹ　ＳＥＴＴＩＮＧ」と表示している場合に、セットキー６３が押下されたか否かを判定する判定処理を実行する。例えば、図７（Ｅ）に示すように、ＣＰＵ４１は、液晶表示部５０に「ＤＩＳＰＬＡＹ　ＳＥＴＴＩＮＧ」と表示する。
そして、所定時間内にセットキー６３が押下されなかった場合には（Ｓ４：ＮＯ）、ＣＰＵ４１は、再度、Ｓ１以降の処理を実行する。
【００５６】
他方、所定時間内にセットキー６３が押下された場合には（Ｓ４：ＹＥＳ）、ＣＰＵ４１は、Ｓ５において、パスワード（指定用パスワード）の入力要求を指示する（図７（Ｃ）参照）。尚、このＳ５の処理が本発明の第１指示手段として機能する。
【００５７】
その後、Ｓ６において、ＣＰＵ４１は、入力されたパスワードが、予め付与されている（不揮発性メモリ４７に予め記憶されている）パスワードと一致するか否かを判定する判定処理を実行する。このＳ６の処理が本発明の判断手段として機能する。
そして、一致しない場合は（Ｓ６：ＮＯ）、再度、Ｓ５以降の処理を実行する。
【００５８】
一方、パスワードが一致する場合には（Ｓ６：ＹＥＳ）、Ｓ７において、新規登録か既に登録されている表示制御情報の編集かを選択する旨を液晶表示部５０に表示する。新規登録が選択された場合、Ｓ８において、ＣＰＵ４１は、ＤＥＦＡＵＬＴ記憶領域４７Ｄに記憶されている表示制御情報を読み出し、この表示制御情報の一番上の階層の先頭項目を液晶表示部５０に表示する。
続いて、Ｓ９において、アップキー６１またはダウンキー６２が押下されたか否かを判定する判定処理を実行する。そして、アップキー６１またはダウンキー６２が押下されていない場合には（Ｓ９：ＮＯ）、セットキー６３が押下されたか否かを判定する判定処理を実行する（Ｓ１０）。セットキー６３が所定時間内に押下されない場合には（Ｓ１０：ＮＯ）、ＣＰＵ４１は、再度、Ｓ９以降の処理を実行する。
【００５９】
Ｓ１０において、セットキー６３が押下された場合には（Ｓ１０：ＹＥＳ）、Ｓ１１において、ＣＰＵ４１は、表示中の設定項目を表示制御情報の項目としてセットした後、リプリントキー６６が押下されたか否かを判定する判定処理を実行する。そして、リプリントキー６６が押下されていない場合には（Ｓ１１：ＮＯ）、ＣＰＵ４１は、Ｓ９以降の処理を再度実行し、ここで、アップキー６１またはダウンキー６２が押下されると（Ｓ９：ＹＥＳ）、表示中の設定項目の次の項目を液晶表示部５０に表示し（Ｓ１２）、その項目に対して、Ｓ１０の処理を行う。
【００６０】
例えば、図７（Ｆ）に示すように、液晶表示部５０に一番上の階層の先頭項目である「ＩＮＦＯＲＭＡＴＩＯＮ」が表示されている状態で、セットキー６３が押下されることなく、アップキー６１またはダウンキー６２が押下された場合（Ｓ９：ＹＥＳ）、設定項目「ＩＮＦＯＲＭＡＴＩＯＮ」については、表示しないことが設定され、表示制御情報には含まれないように設定される。そして、Ｓ１３において、図７（Ｇ）に示すように、次の設定項目「ＰＲＩＮＴ　ＳＥＴＴＩＮＧＳ」が表示される。また、セットキー６３が押下された場合（Ｓ１０：ＹＥＳ）、図７（Ｆ）に示すように、表示中の「ＩＮＦＯＲＭＡＴＩＯＮ」の右端部に「＊」マークが表示されて、表示制御情報に含める設定項目であることを示す表示がなされる。その後、リプリントキー６６が押下されることなく、アップキー６１またはダウンキー６２が押下された場合は、「ＩＮＦＯＲＭＡＴＩＯＮ」の次の設定項目が液晶表示部５０に表示される。
【００６１】
ここで、Ｓ９乃至Ｓ１２における、上位の階層の設定項目と、その下位の階層の設定項目との一例を図９に基づいて説明する。
図９（Ａ）に示すように、Ｓ１０でセットキー６３が押下されて、その時に液晶表示部５０に表示されている設定項目が、上位の階層の設定項目である、例えば、「ＳＥＴＵＰ」の場合は、その「ＳＥＴＵＰ」を表示制御情報に含めることが設定され、続いて、アップキー６１またはダウンキー６２の操作で、その下位の階層の設定項目である「ＬＡＮＧＵＡＧＥ」が表示される。この状態で、セットキー６３が押下されれば、「ＬＡＮＧＵＡＧＥ」が表示制御情報に含めることが設定される。また、セットキー６３が押下されることなく、アップキー６１またはダウンキー６２が押下されると、「ＬＡＮＧＵＡＧＥ」については表示制御情報に含めないことが設定され、同じく下位の階層の設定項目である「ＡＵＴＯ　ＣＯＮＴＩＮＵＥ」が表示される。同様にして、セットキー６３の操作、アップキー６１またはダウンキー６２の操作を繰り返すことで、次の設定項目を順次表示させたり、表示した設定項目を表示制御情報に含めるか、含めないかの設定が行われる。
また、「ＳＥＴＵＰ」が表示された状態で、セットキー６３が押下されることなく、アップキー６１またはダウンキー６２が押下されると、「ＳＥＴＵＰ」については表示制御情報に含めないことが設定される。この場合、その下位の階層の設定項目である「ＬＡＮＧＵＡＧＥ」等についても表示制御情報に含めないように設定されることから、次に表示されるのは、図９（Ｂ）に示すように、別の上位の階層の設定項目である「ＰＡＰＥＲ」になる。
【００６２】
また、Ｓ１１でリプリントキー６６が押下された場合には（Ｓ１１：ＹＥＳ）、表示制御情報の設定処理を中止し、Ｓ１７において、ＣＰＵ４１は不揮発性メモリ４７に記憶されている表示制御情報を印刷出力するか否かを判定する判定処理を実行する。すなわち、不揮発性メモリ４７に記憶されている表示制御情報を印刷出力するか否かの入力要求を指示する。
例えば、図８（Ｈ）に示すように、ＣＰＵ４１は、液晶表示部５０に「ＡＲＥ　ＹＯＵ　ＰＲＩＮＴ？」と表示して、セットキー６３またはダウンキー６２のいずれかが押下されるのを待つ。
【００６３】
そして、セットキー６３が押下された場合には（Ｓ１７：ＹＥＳ）、Ｓ１８において、ＣＰＵ４１は、不揮発性メモリ４７に記憶されている表示制御情報を印刷出力すると判断して、Ｓ１０においてセットキー６３が押下され、表示制御情報に含めることが設定された設定項目のみを印刷出力するのか、すべての設定項目を印刷し、表示制御情報に含めることが設定されたものを区別可能なマーク等を付加して印刷出力するのかを選択する。即ち、いずれの印刷出力を行うかの入力要求を指示する。
例えば、図８（Ｈ）に示すように、ＣＰＵ４１は、最初に液晶表示部５０に「ＰＲＩＮＴ＝ＡＬＬ」と表示し、アップキー６１またはダウンキー６２が押下される毎に「ＰＲＩＮＴ＝ＤＩＳＰ　ＯＮＬＹ」と「ＰＲＩＮＴ＝ＡＬＬ」とを交互に表示する。そして、ＣＰＵ４１は、セットキー６３が押下されて「ＰＲＩＮＴ＝ＡＬＬ」が選択された場合は、すべての設定項目を印刷すると共に、表示制御情報に含めることが設定されたものを区別可能に印刷することが選択される。一方、セットキー６３が押下されて「ＰＲＩＮＴ＝ＤＩＳＰ　ＯＮＬＹ」が選択された場合は、表示制御情報に含めることが設定された設定項目のみを印刷することが選択される。
【００６４】
続いて、Ｓ１９において、ＣＰＵ４１は、設定した表示制御情報のみを印刷出力するのか、または、不揮発性メモリ４７の各記憶領域４７Ａ、４７Ｂ、４７Ｃ、４７Ｄに記憶されている全ての表示制御情報を印刷出力するのかの選択をする。即ち、いずれの印刷出力を行うかの入力要求を指示する。
例えば、図８（Ｈ）に示すように、ＣＰＵ４１は、最初に液晶表示部５０に「ＵＳＥＲ＝ＡＬＬ」と表示し、アップキー６１またはダウンキー６２が押下される毎に「ＵＳＥＲ＝ＵＳＥＲ　ＯＮＬＹ」と「ＵＳＥＲ＝ＡＬＬ」とを交互に表示する。
そして、ＣＰＵ４１は、セットキー６３が押下されると、その時に液晶表示部５０に「ＵＳＥＲ＝ＡＬＬ」と表示されていた場合は、不揮発性メモリ４７の各記憶領域４７Ａ、４７Ｂ、４７Ｃ、４７Ｄに記憶されている全ての表示制御情報を印刷出力すると決定し、一方、セットキー６３が押下された時に、液晶表示部５０に「ＵＳＥＲ＝ＵＳＥＲ　ＯＮＬＹ」と表示されていた場合は、設定した表示制御情報のみを印刷出力すると決定する。
その後、Ｓ２０において、ＣＰＵ４１は、Ｓ１８及びＳ１９において選択された方式に従って、表示制御情報をプリンタエンジン５３を介して印刷出力する。他方、Ｓ１７でダウンキー６２が押下された場合には（Ｓ１７：ＮＯ）、ＣＰＵ４１は、Ｓ１８乃至Ｓ２０の印刷処理を実行せずに、Ｓ２１に移行する。
このＳ１８乃至Ｓ２０の処理が本発明の表示制御情報出力手段として機能する。
【００６５】
また、Ｓ２１において、ＣＰＵ４１は、Ｓ９乃至Ｓ１２で設定した表示制御情報を設定保存するか否かを判定する判定処理を実行する。すなわち、設定した表示制御情報を設定保存するか否かの入力要求を指示する。
例えば、図８（Ｉ）に示すように、ＣＰＵ４１は、液晶表示部５０に「ＳＡＶＥ＝ＳＥＴＴＩＮＧ？」と表示して、セットキー６３またはダウンキー６２のいずれかが押下されるのを待つ。
そして、セットキー６３が押下された場合には（Ｓ２１：ＹＥＳ）、今回の処理が新規登録であるか、既に登録されている表示制御情報の編集であるかを、先のＳ７の入力に基づいて判断し（Ｓ２２）、新規登録である場合は（Ｓ２２：「新規」）、Ｓ２３のパスワード登録処理に移行する。パスワード登録処理では、新たに登録される表示制御情報に対するパスワードをユーザに入力するように指示し、そのパスワードを不揮発性メモリ４７に記憶する。また、ＣＰＵ４１は、不揮発性メモリ４７の各記憶領域４７Ａ〜４７Ｃのいずれの領域に記憶させるかを決定し、例えば、ＵＳＥＲ１記憶領域４７Ａに記憶する場合は、図８（Ｉ）に示すように、ＵＳＥＲ１として記憶することを表示し（Ｓ２４）、設定された表示制御情報を記憶保存し（Ｓ２５）、本処理を終了する。尚、このＳ２３の処理が本発明のパスワード設定手段として機能し、Ｓ２５の処理が本発明の登録手段として機能する。
【００６６】
尚、どの記憶領域に記憶させるかについては、各記憶領域を順にチェックし、他の表示制御情報が記憶されていない領域を選択する。また、本実施形態では、設定された表示制御情報を記憶するための領域を３個としているが、これに限定されるものではなく、最大値を決定しておき、その範囲内で、不揮発性メモリ４７に記憶領域を確保し、増減可能に構成してもよい。さらに、Ｓ２３のパスワード登録処理を行わず、新規に作成した表示制御情報にパスワードを対応付けることなく記憶領域に記憶させることも可能とする。この場合、図６に示す表示選択処理において、Ｓ３３のパスワードが付されているかの判断においてＮＯと判断され、パスワードを入力しなくても、Ｓ３１で選択した表示制御情報を表示させることができる。
【００６７】
次に、Ｓ７において、「編集」が選択された場合について説明する。この場合、既に記憶領域に登録されている表示制御情報（例えば、ＵＳＥＲ１〜ＵＳＥＲ３）の中のどの表示制御情報に対する編集を行うかを選択させる表示を行う（Ｓ１３）。この時の液晶表示部５０の表示は、図７（Ｂ）に示されるものと同様であり、アップキー６１またはダウンキー６２の押下で、ＵＳＥＲ１〜ＵＳＥＲ３の表示が切り替えられ、セットキー６３が押下されると（Ｓ１４）、その時点で表示されている表示制御情報が選択される。続いて、選択された表示制御情報に付与されているパスワードの入力要求を指示する（Ｓ１５）。このＳ１５の処理が本発明の第２指示手段として機能する。そして、入力されたパスワードが一致するか否かを判定する判定処理を実行し（Ｓ１６）、一致しない場合は（Ｓ１６：ＮＯ）、再度、Ｓ１５以降の処理を実行する。一方、パスワードが一致する場合には（Ｓ１６：ＹＥＳ）、Ｓ８の処理に移行する。このＳ１６の処理が、本発明の判断手段として機能する。
【００６８】
Ｓ８以降の処理については、先の「新規登録」の場合に説明したように、一番上の階層の先頭項目を表示するが、「編集」の場合は、Ｓ１３、１４で選択された表示制御情報に対して、一番上の階層の先頭項目を表示する。そして、「新規登録」の場合と同様に、表示制御情報に含まれている設定項目をアップキー６１またはダウンキー６２の操作で順次表示していき、表示制御情報に残しておく項目についてはセットキー６３を押下する。Ｓ９〜Ｓ１２の処理を表示制御情報に含まれる各設定項目に対して行うことで、表示制御情報の編集を行うことができる。尚、表示制御情報に残す設定項目に対してセットキー６３を押下する代わりに、削除したい設定項目に対してセットキー６３を押下するような構成であってもよい。既に登録されている表示制御情報は、そのユーザが必要であると判断したものが殆どであると考えられ、「編集」が選択されるのは、不要なものが数個ある程度であると考えられるため、削除のためにセットキー６３を操作する方が、セットキー６３の操作回数を減らすことができる。
そして、「新規登録」の場合と同様に、Ｓ８乃至Ｓ２１の処理が行われ、設定保存が指定されると（Ｓ２１：「Ｓｅｔキー押下」）、続いて、ＣＰＵ４１は、今回の処理が新規登録であるか、既に登録されている表示制御情報の編集であるかを、先のＳ７の入力に基づいて判断し（Ｓ２２）、編集である場合は（Ｓ２２：「編集」）、元の表示制御情報が記憶されていた記憶領域に上書き保存する（Ｓ２６）。このＳ８〜Ｓ１７の処理が本発明の編集手段として機能し、Ｓ２６の処理が本発明の登録手段として機能する。
【００６９】
尚、先のＳ１５、１６でパスワードのチェックを行っているため、上書きの際にはパスワードの入力を行っていないが、上書きの前にパスワードチェックを行うように構成しても良い。また、Ｓ１３、１４で選択した表示制御情報とは別に、今回編集を行った表示制御情報を記憶しておきたい場合は、Ｓ２３に移行し、新規登録の場合と同様に、別の記憶領域に編集した表示制御情報を記憶するように構成しても良い。また、新規に作成した表示制御情報に対して、パスワード登録処理を行った場合に、その入力されたパスワードが既に記憶領域４７Ａ〜４７Ｃに記憶されている表示制御情報のパスワードと同一である場合は、新規に作成した表示制御情報を同一のパスワードを有する表示制御情報に対して上書きするように構成しても良い。
【００７０】
以上詳細に説明した通り、本実施形態に係るレーザプリンタ１は、表示制御情報として、ＤＥＦＡＵＬＴの表示制御情報（装置が備える全ての設定項目が含まれるもの）以外に、独自の表示制御情報を複数パターン記憶することができる。そして、液晶表示部５０に「ＤＩＳＰＬＡＹ　ＳＥＬＥＣＴＩＯＮ」と表示させた状態で、セットキー６３が押下された場合には、表示選択処理Ｓ３が実行され、不揮発性メモリ４７の各記憶領域４７Ａ〜４７Ｄに記憶されている各表示制御情報の中から所望の情報を液晶表示部５０に表示することができ、各ユーザの希望する表示制御情報に簡易な方法で切り替えて表示することができる。また、表示制御情報に対してパスワードが付与されている場合は、入力したパスワードが一致する場合に限りその表示制御情報を表示することができる。
また、液晶表示部５０に「ＤＩＳＰＬＡＹ　ＳＥＴＴＩＮＧ」と表示させた状態で、セットキー６３が押下された場合には、ユーザが表示制御情報を自由に登録することができるため、装置が備える全ての設定項目の中から、必要と思われる設定項目のみを選択したり、表示順序等を設定することで独自の表示制御情報を作成することができる。そして、上記表示選択処理において、自身の作成した表示制御情報を選択して表示させることで、確認したい設定項目や、設定状態を変更したい設定項目をすばやく表示させることができ、効率よく作業を行うことができる。
また、表示制御情報を登録する場合には、パスワードを付与して登録することができるため、表示制御情報をさらに編集する場合にはそのパスワードの入力が必要となり、他のユーザにより表示制御情報が書き換えられるといった不具合を防止することができる。更に、表示制御情報の新規登録や編集を行う場合には、指定用パスワードの入力が必要であることから、表示制御情報の新規登録や編集を許可するユーザを限定することが可能となり、各記憶領域に記憶される各表示制御情報の管理を容易に行うことができる。
また、不揮発性メモリ４７に記憶される各パターンの表示制御情報に対して個々に編集を行うことができると共に、この編集した表示制御情報は元の表示制御情報に対して上書きして登録することができるため、表示制御情報を記憶する不揮発性メモリ４７のメモリ量の小型化を図ることができる。
また、編集・設定変更した表示制御情報の一覧を印字出力することができるため、編集・設定変更後の表示制御情報を容易に確認することができる。
【００７１】
尚、本発明は前記実施形態に限定されることはなく、本発明の要旨を逸脱しない範囲内で種々の改良、変形が可能であることは勿論である。例えば、以下のようにしてもよい。
【００７２】
（Ａ）上記実施形態においては、図４〜図６の処理により、ユーザが、表示制御情報を作成して不揮発性メモリ４７の記憶領域に記憶させること、及びその記憶された表示制御情報を液晶表示部５０に表示させることの両方を実行できる場合を説明したが、ユーザモード（本発明の第１モードに相当する）と管理者モード（本発明の第２モードに相当する）を設け、そのモードを切り替えることにより、図４〜図６の処理を切り分けて行うように構成することも可能である。
【００７３】
例えば、図１０に示す処理により、ユーザモードと管理者用モードのいずれかを設定しておく。先ず、Ｓ５１において、ＣＰＵ４１は、パネル部４９のダウンキー６２とセットキー６３とが同時に押下されたことを検出する。すなわち、レーザプリンタの管理者またはエンドユーザは、先ず、ダウンキー６２とセットキー６３とを同時に押下する。尚、このユーザモードと管理者用モードの設定を行うためのキー操作は、一般ユーザには開放されないことが望ましい。
そして、Ｓ５２において、レーザプリンタの管理者またはエンドユーザは、液晶表示部５０に「Ｐａｎｅｌ　Ｍｏｄｅ　Ｓｅｔｔｉｎｇ」が表示される場合に、セットキー６３を押下する。
続いて、Ｓ５３において、ＣＰＵ４１は、最初に液晶表示部５０に「Ｍｏｄｅ＝Ａｄｍｉ」と表示し、アップキー６１またはダウンキー６２が押下される毎に「Ｍｏｄｅ＝Ｕｓｅｒ」と「Ｍｏｄｅ＝Ａｄｍｉｎ」とを交互に表示する。そして、ＣＰＵ４１は、セットキー６３が押下されると、その時に液晶表示部５０に「Ｍｏｄｅ＝Ａｄｍｉ」と表示されていた場合は、管理者用モード（第２モード）が選択されたと判断して当該処理を終了して、Ｓ４以降の処理を実行する。一方、セットキー６３が押下された時に、液晶表示部５０に「Ｍｏｄｅ＝Ｕｓｅｒ」と表示されていた場合は、ユーザモード（第１モード）が選択されたと判断して当該処理を終了して、Ｓ３の処理を実行する。
【００７４】
そして、ユーザモードにおいては、一般ユーザが表示制御情報を作成して、記憶領域に記憶させることを可能にすると共に、その記憶された表示制御情報を表示させることを可能とするように、図４における「ＤＩＳＰＬＡＹ　ＳＥＬＥＣＴＩＯＮ」と「ＤＩＳＰＬＡＹ　ＳＥＴＴＩＮＧ」との両方が表示され、セットキー６３により選択できるようにする。従って、ユーザモードが選択されている場合は、図４〜図６の全ての処理が実行され、表示制御情報を自由に作成して登録しておきたいユーザにとっては、ユーザモードが使い勝手がよい。
【００７５】
一方、管理者用モードにおいては、既に記憶されている表示制御情報を液晶表示部５０に表示させることのみを可能とするように、図４における「ＤＩＳＰＬＡＹ　ＳＥＬＥＣＴＩＯＮ」のみが表示される、若しくは、「ＤＩＳＰＬＡＹ　ＳＥＴＴＩＮＧ」が表示されても選択できないようにする。そして、Ｓ３の（表示選択処理）だけが実行される。尚、管理者用モードを選択するにあたっては、事前にユーザモードを選択した状態で、装置の管理者が、「ＤＩＳＰＬＡＹ　ＳＥＴＴＩＮＧ」を選択し、Ｓ４以降の処理により表示制御情報を複数パターン作成して、記憶領域４７Ａ〜４７Ｃに登録しておき、それを一般ユーザに解放するかたちになる。これにより、管理者用モードが選択された場合には、一般ユーザは予め用意されている複数パターンの表示制御情報の中から自分の使用しやすいものを選択する等して、表示制御情報を液晶表示部５０に表示させることができる。また、一旦登録された表示制御情報は、管理者用モードが設定されている間は、編集されたり、別の表示制御情報が設定されることで上書きされることもないため、管理者にとって表示制御情報を管理しやすい。そして、表示制御情報を自身で作成したり、管理することが難しいユーザにとっては、管理者により指定された表示制御情報を使用する管理者用モードが使い勝手がよい。
【００７６】
また、管理者用モードにおいては、複数パターン登録されている表示制御情報の全てをユーザに解放するのではなく、管理者が必要と思われるもののみを予め設定しておき、その設定された表示制御情報のみがユーザに選択可能に構成されていてもよい。例えば、図１０に示す処理では、Ｓ５３の後、選択されたモードが管理者用モード（Ａｄｍｉｎ）か否かを判断し（Ｓ５４）、管理者用モードの場合は（Ｓ５４：ＹＥＳ）、ユーザが選択可能とする表示制御情報を設定するか否かを管理者に選択させる表示を行い、設定することが選択された場合は（Ｓ５５：ＹＥＳ）、選択処理（Ｓ５６）を行う。このＳ５６の処理が本発明の設定手段として機能する。選択処理では、液晶表示部５０に、図７（Ａ）、（Ｂ）の場合と同様に、表示制御情報が記憶されているＵＳＥＲ番号を順次表示していき、セットキー６３で設定するようにする。各記憶領域４７Ａ〜４７Ｃに表示制御情報がそれぞれ記憶されている場合、管理者がＵＳＥＲ３記憶領域４７Ｃ（ＵＳＥＲ３）に記憶されている表示制御情報についてはユーザに解放する必要がないと判断すれば、ＵＳＥＲ３については設定しないようにすることで、管理者用モードでは、ＵＳＥＲ１、ＵＳＥＲ２、及びＤＥＦＡＵＬＴの表示制御情報のみが、Ｓ３の表示選択処理において選択肢として表示され、ユーザが表示させることができる。このように構成することで、記憶領域が多数設けられる場合、管理者が多数の表示制御情報を記憶させていたとしても、装置を使用するユーザに応じてその中から必要な表示制御情報を設定することで、ユーザにとって不要な表示制御情報が表示可能となることがなく、ユーザが希望する表示制御情報をすばやく表示させることができる。また、ユーザが代わり、別の表示制御情報を表示するように変更する場合も、管理者は図１０の処理により、設定内容を変更することで、表示可能な表示制御情報の種類を容易に変更することができる。
【００７７】
尚、Ｓ５４において、ユーザモードが選択されたと判断された場合（Ｓ５４：ＮＯ）、あるいは、Ｓ５５において、表示制御情報を設定しないことが選択された場合は（Ｓ５５：ＮＯ）、そのまま処理を終了し、各モードの処理を行う。また、Ｓ５６の前にパスワードを入力するように指示し、そのパスワードが予め登録されている管理者用のパスワードと一致した場合に限り、Ｓ５６の処理を行うように構成してもよい。これにより、管理者が設定した、管理者用モードにおいて表示可能な表示制御情報の種類が変更されるのを防止することができる。
【００７８】
（Ｂ）前記実施形態では、不揮発性メモリ４７の各記憶領域４７Ａ、４７Ｂ、４７Ｃに記憶される各パターンの表示制御情報は、新規登録または編集モードでなければ消去などできないが、ＣＰＵ４１は、各パターンの表示制御情報の使用状況を不揮発性メモリ４７に記憶しておき（本発明の管理手段に相当する）、所定期間（例えば、３月間など）に渡って使用されていないパターンの表示制御情報が検出された場合は（本発明の検出手段に相当する）、この使用されていない表示制御情報を消去する（本発明の消去手段に相当する）構成にしてもよい。これにより、不必要な表示制御情報を自動的に削除することが可能となり、不揮発性メモリ４７を効率的に使用することができる。
【００７９】
（Ｃ）上記「ＤＩＳＰＬＡＹ　ＳＥＴＴＩＮＧ」を選択して表示制御情報の編集を行うだけでなく、例えば、図６の表示選択処理が実行され、Ｓ３８の表示処理において表示制御情報を表示させている時に、削除したい設定項目が出てきたような場合には、その設定項目を液晶表示部５０に表示させた状態で、図１１に示す項目削除処理により、その設定項目を表示制御情報から削除することが可能である。例えば、「ＵＳＥＲ１」の表示制御情報が選択され、その表示制御情報に含まれる設定項目の１つが液晶表示部５０に表示された状態で、セットキー６３が５秒以上継続して押下されたか否かを判断し（Ｓ４１）、５秒以上押下された場合（Ｓ４１：ＹＥＳ）、その表示されている設定項目を「ＵＳＥＲ１」の表示制御情報から削除するように編集する（Ｓ４２）。これにより、１つの設定項目を削除するために、「ＤＩＳＰＬＡＹ　ＳＥＴＴＩＮＧ」を選択し、削除したい設定項目を表示させるといった手順をふむことなく、不要な設定項目の削除を行うことができる。
【００８０】
【発明の効果】
以上説明した通り本発明に係る画像形成装置では、画像形成手段の印刷条件などの制御情報の表示内容を複数パターン有し、各ユーザは所望する制御情報の表示内容を簡易な方法により切り替えて確認できると共に、その表示内容を各ユーザに対応して容易に設定変更することが可能な画像形成装置を提供することができる。
【図面の簡単な説明】
【図１】本実施形態に係るレーザプリンタの概略構成を示す要部側断面図である。
【図２】本実施形態に係るレーザプリンタの制御部の要部を示すブロック図である。
【図３】本実施形態に係るレーザプリンタのパネル部を示す平面図である。
【図４】本実施形態に係るレーザプリンタの不揮発性メモリのＵＳＥＲ１記憶領域、ＵＳＥＲ２記憶領域、ＵＳＥＲ３記憶領域に記憶される各表示制御情報の編集・設定変更を行う処理の一例を示すメインフローチャートである。
【図５】本実施形態に係るレーザプリンタの不揮発性メモリのＵＳＥＲ１記憶領域、ＵＳＥＲ２記憶領域、ＵＳＥＲ３記憶領域に記憶される各表示制御情報の編集・設定変更を行う処理の一例を示すメインフローチャートである。
【図６】本実施形態に係るレーザプリンタのユーザーモード処理の一例を示すサブフローチャートである。
【図７】図４のメインフローチャートに示す設定処理に従った液晶表示部の表示の一例を示す図で、（Ａ）はスタート画面、（Ｂ）〜（Ｄ）はユーザモード処理の表示画面、（Ｅ）は編集・設定変更処理を選択する画面、（Ｆ）は先頭項目の表示画面、（Ｇ）は項目削除処理の表示画面である。
【図８】図５のメインフローチャートに示す設定処理に従った液晶表示部の表示の一例を示す図で、（Ｈ）は印刷出力設定画面、（Ｉ）は設定保存処理画面である。
【図９】本実施形態に係るレーザプリンタのＤＥＦＡＵＬＴ記憶領域に記憶される表示制御情報の各階層の項目表示の一例を示す図で、（Ａ）はセットアップ項目、（Ｂ）は記録用紙設定項目の各階層の項目表示の一例である。
【図１０】他の実施形態に係るレーザプリンタの処理モードの選択処理の一例を示すフローチャートである。
【図１１】他の実施形態に係るレーザプリンタの項目削除処理の一例を示すサブフローチャートである。
【符号の説明】
１　　　　　　　　　レーザプリンタ
５　　　　　　　　　画像形成部
４０　　　　　　　　制御部
４１　　　　　　　　ＣＰＵ
４２　　　　　　　　ＲＯＭ
４３　　　　　　　　ＲＡＭ
４７　　　　　　　　不揮発性メモリ
４９　　　　　　　　パネル部
５０　　　　　　　　液晶表示部
５１　　　　　　　　操作キー
５３　　　　　　　　プリンタエンジン
【図１】
2004074423.tif 000003
【図２】
2004074423.tif 000004
【図３】
2004074423.tif 000005
【図４】
2004074423.tif 000006
【図５】
2004074423.tif 000007
【図６】
2004074423.tif 000008
【図７】
2004074423.tif 000009
【図８】
2004074423.tif 000010
【図９】
2004074423.tif 000011
【図１０】
2004074423.tif 000012
【図１１】
2004074423.tif 000013